(57)【特許請求の範囲】
【請求項１】
表示手段と、
複数の色名を前記表示手段に一覧表示する色表示制御手段と、
この色表示制御手段の制御により表示されている複数の色名のなかから一つの色名を指定する色指定手段と、
この色指定手段により指定された一つの色名に対応する複数のイメージを一覧表示するイメージ表示制御手段と、
このイメージ表示制御手段の制御により表示されている複数のイメージのなかから一つのイメージを指定するイメージ指定手段と、
色と当該色に対するイメージとの組み合わせに対応する性格診断結果を示す性格診断結果データを記憶している記憶手段と、
前記色指定手段により指定された色名と前記イメージ指定手段により指定された色に対するイメージとの組み合わせに対応する性格診断結果データを前記記憶手段から読み出してこの性格診断結果データを前記表示手段に表示する性格診断結果データ表示制御手段と、
を備えたことを特徴とする性格診断装置。
【発明の詳細な説明】
【０００１】
【産業上の利用分野】
本発明は、個人の性格を診断する性格診断装置に関する。
【０００２】
【従来の技術】
従来、例えば心理学専門書等には、図示されている絵に対するイメージが複数記載されており、そのイメージの何れかを選択して、これに対する回答欄を見ると、当該イメージを選択した者の性格が記載されている。したがって、この記載されている性格に関する事項を読むことにより、性格を自己診断することができる。
【０００３】
【発明が解決しようとする課題】
しかし、このように従来において性格を自己診断する場合、あるいは他人の性格を診断する場合には、心理学専門書を用いなければならず、性格診断を手軽に行うことができない。また、心理学専門書には性格診断に関する事項以外の、専門的な事項が多数頁に亙って記載されていることから、その中から性格診断に関する所定頁を探し出す際に手間取り、迅速に性格診断を行うこともできない。
本発明は、このような従来の実情に鑑みてなされたものであり、手軽かつ迅速に性格診断を行うことのできる性格診断装置を提供することを目的とするものである。
【０００４】
【課題を解決するための手段】
前記課題を解決するために本発明にあっては、表示手段と、複数の色名を前記表示手段に一覧表示する色表示制御手段と、この色表示制御手段の制御により表示されている複数の色名のなかから一つの色名を指定する色指定手段と、この色指定手段により指定された一つの色名に対応する複数のイメージを一覧表示するイメージ表示制御手段と、このイメージ表示制御手段の制御により表示されている複数のイメージのなかから一つのイメージを指定するイメージ指定手段と、色と当該色に対するイメージとの組み合わせに対応する性格診断結果を示す性格診断結果データを記憶している記憶手段と、前記色指定手段により指定された色名と前記イメージ指定手段により指定された色に対するイメージとの組み合わせに対応する性格診断結果データを前記記憶手段から読み出してこの性格診断結果データを前記表示手段に表示する性格診断結果データ表示制御手段と、を備えたことを特徴とする。
【０００５】
【作用】
前記構成において、例えば、赤を指定して、この赤に対するイメージ例えばキュートを入力すると、これに応じて性格診断結果が出力され、よって、色を指定する操作と、イメージを入力する操作とからなる簡易な操作で性格診断結果が得られる。
【０００６】
【実施例】
以下、本発明の一実施例を図にしたがって説明する。図１は本実施例の全体構成を示すブロック図であり、キー入力部１には、△キー２と▽キー３、及びＯＫキー４が設けられている。これら各キーの操作情報は、ＣＰＵ５に入力され、ＣＰＵ５は、これらの操作情報とＲＯＭ６に記憶されているプログラム、及びＲＡＭ７に記憶されるデータ等に基づき、必要となる全ての制御を実行するとともに、ＬＣＤからなる表示部８を制御する。
【０００７】
ＲＯＭ６には、前記プログラムとともに、図２に概念的に示す性格診断テーブル９が記憶されている。この性格診断テーブル９は、赤色用テーブル９ａ、黄色用テーブル９ｂ、緑色用テーブル９ｃ・・・等で構成されている。赤色用テーブル９ａには、「キュート」「エレガント」「スポーティ」等の赤色に対するイメージデータと、「おとなしくて・・・」等の各イメージデータに対する性格診断結果データとが、対応関係をもって記憶されている。なお、前記各イメージデータに対する性格診断結果データは、各色ごとに評価されたイメージにより評価者の性格がどのような性格であるかを経験則等に基づいて分類化したデータである。
【０００８】
次に以上の構成にかかる本実施例の動作について、図３に示したフローチャートに従って説明する。すなわち、図外の電源を投入すると、ＣＰＵ５は、図３に示すフローにしたがって動作を開始し、先ず色の選択処理を実行する（Ｓ１）。このＳ１の処理により、図４（Ａ）に示すように、「いろは？」の記述を表示部８に表示するとともに、選択番号に対応させて、「あか」「きいろ」「みどり」等の、前記性格診断テーブル９を構成する各色用テーブル９ａ〜９ｃ・・・に対応する色名称を表示する。このとき、選択番号上に、斜線で示したカーソル１０を表示する。
【０００９】
次に、ＯＫキー４が操作されたか否かを判別し（Ｓ２）、ＯＫキー４が操作されない場合には、Ｓ１に戻り、このとき操作された△キー２又は▽キー３に応じて、カーソル１０を移動させる。よって、カーソル１０は、△、▽キー２，３の操作に応じて選択番号上を上下動し、所望の色に対応する選択番号上にカーソル１０が移動した時点で、ＯＫキー４を操作し、これによりカーソル１０が位置する選択番号に対応する色（図４（Ａ）の場合“あか”）が選択される。
【００１０】
また、ＯＫキー４が操作されることによりＳ２の判別がＹＥＳとなると、Ｓ２からＳ３に進んで、選んだ色に対するイメージ選択処理を実行する。このＳ３の処理により、図４（Ｂ）に示すように、選択番号に対応させて、赤色用テーブル９ａに記憶されているイメージ「キュート」「エレガント」「スポーティ」等を表示し、かつ、選択番号上に斜線で示したカーソル１０を表示する。
【００１１】
次に、ＯＫキー４が操作されたか否かを判別し（Ｓ４）、ＯＫキー４が操作されない場合には、Ｓ３に戻り、このとき前述と同様に操作された△キー２又は▽キー３に応じて、カーソル１０を移動させる。そして、所望の色イメージに対応する選択番号上にカーソル１０が移動した時点で、ＯＫキー４を操作すると、これによりカーソル１０が位置する選択番号に対応するイメージ（図４（Ｂ）の場合“キュート”）が選択される。
【００１２】
すると、ＣＰＵ５は、色＋イメージから性格診断を表示する。つまり、この例では、「あか」＋「キュート」であることから、赤色用テーブル９ａから「キュート」に対応する診断結果データを読み出し、表示部８に表示させる。これにより、表示部８には、図４に示すように、“あなたのせいかくは、「おとなしくて・・・」です。”の表示がなされる。
【００１３】
なお、この実施例においては、性格判断結果を表示部８に表示するようにしたが、性格診断結果を音声により報知するようにしてもよい。また、この実施例においては、色に対するイメージとして、「キュート」や「エレガント」等の抽象的な事項を示したが、例えば赤色に対するイメージとして、「火」「ばら」「血」等の具体的をイメージを示すとともに、これに対する性格診断結果をテーブルから読み出すようにしてもよい。
【００１４】
以上説明したように本発明は、複数の色名を一覧表示した後に、この一覧表示されている複数の色名のなかから一つの色名を指定すると、この指定された一つの色名に対応する複数のイメージを一覧表示することができる。このため、一つの色名に対応するイメージが一般的にどのようなイメージであるのか迅速かつ容易に知ることができる。また、一覧表示されている複数のイメージのなかから一つのイメージを迅速かつ容易に指定することができる。
また、色名とイメージとの指定後、指定された色名と指定された色に対するイメージとの組み合わせに対応する性格診断結果データを自動的に表示することができる。このため、手間取ることなく、手軽かつ迅速に性格診断を行うことができる。
【図面の簡単な説明】
【図１】本発明の一実施例を示すブロック図である。
【図２】ＲＯＭの記憶された性格診断テーブルの内容を示す概念図である。
【図３】本実施例の動作を示すフローチャートである。
【図４】同実施例の表示過程を示す図である。
【符号の説明】
１    キー入力部
２    △キー
３    ▽キー
５    ＣＰＵ
６    ＲＯＭ
７    ＲＡＭ
８    表示部
９    性格診断テーブル
【図１】
0003590978.tif 000002
【図２】
0003590978.tif 000003
【図３】
0003590978.tif 000004
【図４】
0003590978.tif 000005